(57)【要約】【課題】街路用照明システムにおいて、電力消費量を少なくし、かつ、人が居る時には必要な照明を確保することができ、また、点灯モードが変わる夜間から深夜に移行するときに、人が居るにも拘わらずランプが消灯するといった不具合いをなくする。【解決手段】街路用照明システムは、ランプと、安定器と、人感センサと、制御部と、電源供給を制御する自動点滅器と、を備える。制御部は複数の点灯モードを備える。夜間時間から深夜時間に移行する際に、人の存在を検知すると夜間時間の点灯モードを延長する。人の存在が検知されないときは調光点灯や消灯状態にし、人の存在が検知されたときはランプをフル点灯することにより、電力消費量を少なくすると共に、人が居る時には必要な照明を確保する。また、夜間時間の点灯モードが延長され、点灯モードの切り替えが行なわれないので、深夜時間に移行する際に、人が居るにも拘らずに消灯するといったことがなくなる。【選択図】図３
2008270064.tif 000002
【特許請求の範囲】
【請求項１】
街路を照明するためのランプと、前記ランプの点灯を安定させる安定器と、人の存在を検知して人検知信号を出力する人感センサと、前記ランプ及び安定器を制御する制御部と、昼夜を判別して前記制御部及び安定器への電源供給を制御する自動点滅器と、を備え、
前記制御部は、前記自動点滅器により昼から夜への移行が判別されたとき、電源が供給されると共に、前記制御部が持つタイマに所定の時間を計測させ、該所定の時間に達するまでを夜間時間とし、該所定の時間に達した後を深夜時間として前記夜間時間と深夜時間とで、前記ランプの点灯モードを変更する街路用照明システムにおいて、
前記制御部による点灯モードは、
前記ランプをフル点灯させるフル点灯モードと、
前記ランプを調光点灯させる調光点灯モードと、
前記人感センサにより人の存在が検知されないとき、ランプを消灯又は調光点灯とし、前記人感センサにより人の存在が検知されたとき、前記タイマによって計測される点灯保持時間の間、ランプをフル点灯させ、該点灯保持時間の間に再度人の存在が検知されると該点灯保持時間の計測を再開始してランプをフル点灯させる人感センサ制御モードと、を有し、
前記制御部は、
前記夜間時間には、前記フル点灯モードによりランプを点灯し、前記深夜時間には前記人感センサ制御モードによりランプを点灯し、又は、
前記夜間時間には、前記人感センサ制御モードによりランプを点灯し、前記深夜時間には前記調光点灯モードによりランプを点灯し、
前記夜間時間から前記深夜時間に移行する一定時間前から該深夜時間に移行するまでの間に、前記人感センサにより人の存在が検知されると、前記夜間時間における点灯モードを延長することを特徴とする街路用照明システム。
【請求項２】
前記制御部は、前記夜間時間及び深夜時間において前記人感センサ制御モードによりランプを点灯し、前記深夜時間における点灯保持時間を前記夜間時間における点灯保持時間よりも短くするように制御することを特徴とする請求項１に記載の街路用照明システム。
【請求項３】
前記制御部による点灯モードは、前記人感センサにより人の存在が検知されるとランプに一定時間点滅を繰り返させて注意喚起を行なう注意喚起制御モードをさらに有し、
前記夜間時間には前記人感センサ制御モードによりランプを点灯し、
前記深夜時間には前記注意喚起制御モードによりランプを点灯することを特徴とする請求項１に記載の街路用照明システム。
【請求項４】
前記制御部による点灯モードは、前記人感センサにより人の存在が検知されるとランプに一定時間点滅を繰り返させて注意喚起を行なう注意喚起制御モードをさらに有し、
前記夜間時間及び深夜時間において前記注意喚起制御モードによりランプを点灯し、前記深夜時間における注意喚起時のランプの点滅の周期を前記夜間時間における点滅の周期よりも短くするように制御することを特徴とする請求項１に記載の街路用照明システム。
【発明の詳細な説明】
【技術分野】
【０００１】
本発明は、複数の点灯モードでの照明が可能な街路用照明システムに関する。
【背景技術】
【０００２】
従来の、この種の街路用照明システムにおいて、夜間時間と深夜時間に時間を分けて、点灯モードを変える街路用照明システムが知られている（例えば、特許文献１参照）。図１０は、特許文献１に係る街路用照明システムの点灯モードを示し、同図の横軸は、時間経過を示す。街路用照明システムが有する照度センサによって昼から夜に移行したと判別されると、照明器具に電源が供給され、タイマは所定の時間の計測を開始する。街路用照明システムは、その所定の時間の計測終了までを夜間時間としてランプをフル点灯し、所定の時間の計測終了した後を深夜時間として、光出力を抑えて点灯するいわゆる調光点灯にし、消費電力量を抑えている。
【０００３】
また、人感センサによって人の存在を検知し、人の存否によってランプの点灯状態を変えると共に、夜間時間と深夜時間においてランプの点灯モードを変える街路用照明システムが知られている（例えば、特許文献２参照）。
【０００４】
しかしながら、特許文献１に示される街路用照明システムにおいては、深夜時間では、人が居てもランプが調光点灯であり、十分な明るさが確保されない。また、特許文献２に示される街路用照明システムにおいては、夜間時間から深夜時間に移行するときに、人が居ても動かずに静止していると消灯するといった不具合いがある。
【特許文献１】特開２００３−３４７０６７号公報
【特許文献２】特開平１０−１３４９６７号公報
【発明の開示】
【発明が解決しようとする課題】
【０００５】
本発明は、上記従来の問題を解決するためになされたものであり、電力消費量が少なく、かつ、人が居る時には必要な照明を確保することができ、また、点灯モードが変わる夜間から深夜に移行するときに、人が居るにも拘わらずランプが消灯するといった不具合い
を生じることのない街路用照明システムを提供することを目的とする。
【課題を解決するための手段】
【０００６】
上記目的を達成するために請求項１の発明は、街路を照明するためのランプと、前記ランプの点灯を安定させる安定器と、人の存在を検知して人検知信号を出力する人感センサと、前記ランプ及び安定器を制御する制御部と、昼夜を判別して前記制御部及び安定器への電源供給を制御する自動点滅器と、を備え、前記制御部は、前記自動点滅器により昼から夜への移行が判別されたとき、電源が供給されると共に、前記制御部が持つタイマに所定の時間を計測させ、該所定の時間に達するまでを夜間時間とし、該所定の時間に達した後を深夜時間として前記夜間時間と深夜時間とで、前記ランプの点灯モードを変更する街路用照明システムにおいて、前記制御部による点灯モードは、前記ランプをフル点灯させるフル点灯モードと、前記ランプを調光点灯させる調光点灯モードと、前記人感センサにより人の存在が検知されないとき、ランプを消灯又は調光点灯とし、前記人感センサにより人の存在が検知されたとき、前記タイマによって計測される点灯保持時間の間、ランプをフル点灯させ、該点灯保持時間の間に再度人の存在が検知されると該点灯保持時間の計測を再開始してランプをフル点灯させる人感センサ制御モードと、を有し、前記制御部は、前記夜間時間には、前記フル点灯モードによりランプを点灯し、前記深夜時間には前記人感センサ制御モードによりランプを点灯し、又は、前記夜間時間には、前記人感センサ制御モードによりランプを点灯し、前記深夜時間には前記調光点灯モードによりランプを点灯し、前記夜間時間から前記深夜時間に移行する一定時間前から該深夜時間に移行するまでの間に、前記人感センサにより人の存在が検知されると、前記夜間時間における点灯モードを延長するものである。
【０００７】
請求項２の発明は、請求項１に記載の街路用照明システムにおいて、前記制御部は、前記夜間時間及び深夜時間において前記人感センサ制御モードによりランプを点灯し、前記深夜時間における点灯保持時間を前記夜間時間における点灯保持時間よりも短くするように制御するものである。
【０００８】
請求項３の発明は、請求項１に記載の街路用照明システムにおいて、前記制御部による点灯モードは、前記人感センサにより人の存在が検知されるとランプに一定時間点滅を繰り返させて注意喚起を行なう注意喚起制御モードをさらに有し、前記夜間時間には前記人感センサ制御モードによりランプを点灯し、前記深夜時間には前記注意喚起制御モードによりランプを点灯するものである。
【０００９】
請求項４の発明は、請求項１に記載の街路用照明システムにおいて、前記制御部による点灯モードは、前記人感センサにより人の存在が検知されるとランプに一定時間点滅を繰り返させて注意喚起を行なう注意喚起制御モードをさらに有し、前記夜間時間及び深夜時間において前記注意喚起制御モードによりランプを点灯し、前記深夜時間における注意喚起時のランプの点滅の周期を前記夜間時間における点滅の周期よりも短くするように制御するものである。
【発明の効果】
【００１０】
請求項１の発明によれば、ランプを点灯する時間を夜間時間と深夜時間とに分けて、それぞれの時間に応じた点灯モードによって点灯するので、電力消費量を少なくすることができ、また、人が居るときには必要な照明を確保することができる。また、夜間時間が終了する前の一定時間における人の存在に応じて、夜間時間における点灯モードを延長することにより、点灯モードの切り替わりが行なわれず、人が居るにも拘わらずランプが消灯するといった不具合いがなくなる。
【００１１】
請求項２の発明によれば、夜間時間及び深夜時間共に人感センサ制御モードとしており、さらに深夜時間においては点灯保持時間を短くしているので、電力消費量を少なくすることができる。
【００１２】
請求項３の発明によれば、注意喚起制御モードにより、深夜時間における防犯効果を高めることができる。
【００１３】
請求項４の発明によれば、注意喚起制御モードにより、夜間時間及び深夜時間における防犯効果を高めると共に、深夜時間における点滅の周期が短かいので、深夜時間における防犯効果をさらに高めることができる。
【発明を実施するための最良の形態】
【００１４】
（第１の実施形態）
本発明の第１の実施形態に係る街路用照明システムについて図１を参照して説明する。図１は、街路用照明システムの構成を示す。街路用照明システム１は、照明器具２と、電源４から電源供給を受け照明器具２への電源供給を制御する自動点滅器３と、を備える。照明器具２は、街路を照明するランプ５と、ランプ５を調光点灯させる調光安定器６と、調光安定器６を制御する制御部７と、人の存在を検知して人検知信号を出力する複数の人感センサ８と、を備えている。制御部７は、設定された時間を計測するタイマ７ａと、調光安定器６等を制御するマイコン７ｂと、を有している。自動点滅器３は内蔵する照度センサにより、昼から夜への移行を判別すると照明器具２へ電源供給を開始し、また、夜から朝への移行を判別すると、照明器具２への電源供給を終了する。マイコン７ｂは、自動点滅器３から電源を供給されると、タイマ７ａに所定の時間を計測させ、その所定の時間に達するまでを夜間時間とし、所定の時間に達した後を深夜時間とし、夜間時間と深夜時間とにおいて、ランプ５の点灯モードを変更する。人感センサ８は、人体から放射される熱線を焦電素子により検出し、人体の動作に応じた熱線量の変化に基づいて人体の存在を検知する。
【００１５】
マイコン７ｂは、ランプ５の点灯モードとして、ランプ５をフル点灯させるフル点灯モードと、人の存在を検知して点灯を行なう人感センサ制御モードとを有している。マイコン７ｂは、人感センサ制御モードにおいては、人感センサ８により人の存在が検知されないときは、ランプ５を調光点灯とし、人感センサ８により人の存在が検知されたときは、タイマ７ａによって予め定めた点灯保持時間が計測される間、ランプをフル点灯させ、点灯保持時間の間に再び人の存在が検知されると点灯保持時間の計測を再開始してランプ５をフル点灯させる。
【００１６】
次に、上記構成の街路用照明システム１において、マイコン７ｂがランプ５の点灯を制御する動作について図２及び図３を参照して説明する。図２は、マイコン７ｂの動作のフローを示す。自動点滅器３の周囲が暗くなり、自動点滅器３は、昼から夜への移行を判別すると照明器具２への電源供給を開始する。マイコン７ｂは、照明器具２に電源が供給されると、タイマ７ａによって、予め定めた夜間保持時間の計測を開始する（ステップＳ１）。そして、その時間計測が終了したかを判断し（ステップＳ２）、計測が完了していないときは、夜間時間としてフル点灯モードによりランプ５を点灯する（ステップＳ３）。そして、タイマ７ａが夜間保持時間の計測を終了すると（ステップＳ２）、マイコン７ｂは、深夜時間としてランプ５を人感センサ制御モードにより点灯する。
【００１７】
人感センサ制御モードとなり、人感センサ８が人の存在を検知すると（ステップＳ４）、マイコン７ｂは、タイマ７ａに点灯保持時間の計測を開始させ（ステップＳ５）、ランプ５をフル点灯にする（ステップＳ６）。そして、点灯保持時間の計測中に、人感センサ８が再び人の存在を検知すると（ステップＳ４）、マイコン７ｂは、タイマ７ａに点灯保持時間の計測を再開始させ（ステップＳ５）、ランプ５のフル点灯を継続する（ステップＳ６）。点灯保持時間の間に人の存在を検知しない時は、点灯保持時間の計測を続け（ステップＳ７）、点灯保持時間の計測が終了すると、ランプ５を調光点灯にする（ステップＳ８）。そして、自動点滅器３の周囲が明るくなり、自動点滅器３は、夜から朝への移行を判別すると照明器具２への電源供給を終了し、ランプ５を消灯する。
【００１８】
図３は、夜間時間と深夜時間の点灯モードを示す。自動点滅器３が制御部７への電源供給を開始してから夜間保持時間Ｔ１の計測の終了までの夜間時間においては、マイコン７ｂは、フル点灯モードによってランプ５を点灯し、夜間保持時間Ｔ１の計測終了後においては、深夜時間として人感センサ制御モードによってランプ５を点灯する。そして、夜間時間から深夜時間に移行する時点よりも、移行保留時間Ｔ２前の時点から深夜時間に移行するまでの間の時点Ｐ１において、人感センサ８によって人の存在が検知されると、マイコン７ｂは、検知された時点から延長時間Ｔ３の間、夜間時間における点灯モードを延長する。この延長時間Ｔ３の間にさらに人感センサ８が人の存在を検知すると、マイコン７ｂは、その時点から、さらに夜間時間における点灯モードを延長する。
【００１９】
上述したように、本実施形態の街路用照明システム１によれば、人があまり居ない深夜時間においては、人感センサ制御モードによって人の存在に応じてランプ５を点灯することにより、電力消費量を少なくすると共に、人が居るときには必要な照明を確保することができる。また、深夜時間に移行する前の一定時間における人の存在の検知によって、夜間時間におけるフル点灯モードが延長されるので、夜間時間の終了によって深夜時間の人感センサ制御モードに移行し、人感センサ８が再び人の存在を検知するまでランプ５が調光点灯になるという不具合いがなくなる。
【００２０】
次に、上記第１の実施形態の街路用照明システム１の第１の変形例について図４を参照して説明する。本変形例は、夜間時間と深夜時間における点灯モードが、第１の実施形態の街路用照明システム１における点灯モードと異なっている。マイコン７ｂは、上述した人感センサ制御モードと、ランプ５を調光点灯する調光点灯モードと、を有している。マイコン７ｂは、夜間時間においては、人感センサ制御モードによってランプ５を点灯し、深夜時間においては、調光点灯モードによってランプ５を点灯する。このようなモード設定によって、マイコン７ｂは、夜間時間においては人の存否に応じてランプ５を点灯し、深夜時間においては人の存否に拘わらずに調光点灯することにより、電力消費量を少なくすることができる。また、夜間時間が終了する前の一定時間における人の存在の検知によって、夜間時間における人感センサ制御モードが延長されるので、夜間時間の終了によって深夜時間の調光点灯モードに移行して光出力が小さくなるという不具合いがなくなる。
【００２１】
次に、第２の変形例について図５を参照して説明する。本変形例は、点灯モードが第１の実施形態と異なっている。マイコン７ｂは、上述した人感センサ制御モードを有し、夜間時間と深夜時間とにおいて人感センサ制御モードによってランプ５を点灯するが、夜間時間と深夜時間とにおいて点灯保持時間を変えている。マイコン７ｂは、夜間時間においては、人がある程度多くいるので点灯保持時間を長くし、深夜時間においては、人があまり居ないので点灯保持時間を短くしている。マイコン７ｂは、夜間時間及び深夜時間共に人感センサ制御モードとしており、さらに深夜時間においては点灯保持時間を短くしているので、電力消費量を少なくすることができる。また、夜間時間が終了する前の一定時間における人の存在の検知によって、夜間時間における人感センサ制御モードが延長されるので、夜間時間の終了によって深夜時間の人感センサ制御モードに移行して、人感センサ８によって人の存在が検知されるまでランプ５が調光点灯になるという不具合いがなくなる。
【００２２】
次に、第３の変形例について図６を参照して説明する。本変形例は、点灯モードが第１の実施形態と異なっている。マイコン７ｂは、上述した人感センサ制御モードと、ランプ５を点滅させて人に注意を喚起する注意喚起制御モードと、を有している。注意喚起制御モードについて、図７を参照して説明する。同図の横軸は時間経過を示す。マイコン７ｂは、人感センサ８が人の存在を検知すると、調光点灯させていたランプ５を、例えば８２．５％と５％との出力により５回点滅させ、その後１０秒間出力を５％にすることにより人に注意を喚起する。この注意を喚起している間は、マイコン７ｂは、人感センサ８からの検知信号を受け付けないことにより、ランプ５の点滅が連続しないようにしている。
【００２３】
そして、マイコン７ｂは、夜間時間においては、人感センサ制御モードによってランプ５を点灯し、深夜時間においては、注意喚起制御モードによってランプ５を点灯する。このようなモード設定によって、夜間時間においては人感センサ制御により、電力消費量を少なくすると共に、深夜時間においては、注意喚起制御モードによって防犯効果を高めることができる。また、夜間時間が終了する前の一定時間における人の存在の検知によって、夜間時間における人感センサ制御モードが延長されるので、夜間時間の終了によって深夜時間の注意喚起制御モードに移行して、ランプの点滅が行なわれるという虞が無くなり安全になる。また、夜間時間をフル点灯モードとし、深夜時間を注意喚起制御モードとしてもよい。このモード設定によっても、深夜時間において防犯効果を高めることができる。
【００２４】
次に、第４の変形例について図８を参照して説明する。本変形例は、点灯モードが第１の実施形態と異なっている。マイコン７ｂは、上述した注意喚起制御モードを有し、夜間時間と深夜時間とにおいて注意喚起制御モードによってランプ５を点灯するが、夜間時間と深夜時間とにおいてランプ５の点滅の周期を変えている。マイコン７ｂは、夜間時間においては点滅周期を長くし、深夜時間においては点滅周期を短くしている。このようなモード設定によって、夜間時間及び深夜時間における防犯効果を高めると共に、深夜時間においては、点滅周期を短くすることにより防犯効果をさらに高めることができる。また、夜間時間が終了する前の一定時間における人の存在の検知によって、夜間時間における注意喚起制御モードが延長されるので、夜間時間の終了によって深夜時間の注意喚起制御モードに移行することがなく、違和感なく深夜時間の注意喚起制御モードに移行することができる。
【００２５】
（第２の実施形態）
本発明の第２の実施形態に係る街路用照明システムについて図９を参照して説明する。図９は、街路用照明システムの構成を示す。街路用照明システム１は、第１の実施形態と異なり、点灯時にはランプ５を調光点灯させずにフル点灯させるものとして、低コスト化を図っている。照明器具２は、制御部７にトライアック７ｃを備え、また、調光安定器６に代えて点滅安定器６１を備えている。マイコン７ｂは、トライアック７ｃと点滅安定器６１を介してランプ５を点灯する。マイコン７ｂは、ランプ５を点灯させる点灯モードを備える。
【００２６】
この点灯モードにおける人感センサ制御モードにおいて、第１の実施形態に係る街路用照明システムでは、人の存在が検知されないときは、ランプ５を調光点灯とし、人の存在が検知されたときは、ランプをフル点灯させるが、本実施形態に係る街路用照明システム１では、人の存在が検知されないときは、ランプ５を消灯し、人の存在が検知されたときは、ランプ５をフル点灯させる。また、注意喚起制御モードにおいて、第１の実施形態に係る街路用照明システムでは、人の存在を検知すると、調光点灯させていたランプ５を、例えば８２．５％と５％との出力により５回点滅させ、その後１０秒間出力を５％にすることにより人に注意を喚起するが、本実施形態に係る街路用照明システム１では、人の存在が検知されると、消灯していたランプ５をフル点灯により、例えば５回点滅させ、その後１０秒間の間、消灯する。そして、本実施形態に係る街路用照明システム１は、第１の実施形態に係る街路用照明システムと同様に、夜間時間と深夜時間に各点灯モードを適用してランプ５を点灯させる。
【００２７】
なお、本発明は、上記各種実施形態の構成に限られず、発明の趣旨を変更しない範囲で種々の変形が可能である。例えば、時間の分割を夜間時間、深夜時間、朝方時間に分けて点灯モードを設定してもよい。また、人感センサに例えば、フォトインターラプタを用いてもよい。
【図面の簡単な説明】
【００２８】
【図１】本発明の第１の実施形態に係る街路用照明システムの構成図。
【図２】同街路用照明システムにおけるマイコンの動作のフロー図。
【図３】同街路用照明システムの夜間時間と深夜時間の点灯モードを示す図。
【図４】同街路用照明システムの第１の変形例における夜間時間と深夜時間の点灯モードを示す図。
【図５】同街路用照明システムの第２の変形例における夜間時間と深夜時間の点灯モードを示す図。
【図６】同街路用照明システムの第３の変形例における夜間時間と深夜時間の点灯モードを示す図。
【図７】同街路用照明システムにおける注意喚起モードのパターンを示す図。
【図８】同街路用照明システムの第４の変形例における夜間時間と深夜時間の点灯モードを示す図。
【図９】本発明の第２の実施形態に係る街路用照明システムの構成図。
【図１０】従来の街路用照明システムの夜間時間と深夜時間の点灯モードを示す図。
【符号の説明】
【００２９】
１  街路用照明システム
３  自動点滅器
５  ランプ
６  調光安定器（安定器）
６１  点滅安定器（安定器）
７  制御部
７ａ  タイマ
８  人感センサ
【図１】
2008270064.tif 000003
【図２】
2008270064.tif 000004
【図３】
2008270064.tif 000005
【図４】
2008270064.tif 000006
【図５】
2008270064.tif 000007
【図６】
2008270064.tif 000008
【図７】
2008270064.tif 000009
【図８】
2008270064.tif 000010
【図９】
2008270064.tif 000011
【図１０】
2008270064.tif 000012